(57)【特許請求の範囲】
【請求項１】
読取部と、ネットワークインターフェースと、外部記憶装置が接続される接続部と、を有し、
ＦＡＸデータを受信するＦＡＸインターフェースと、
色材を用いて記録用紙に印刷する印刷部と、
前記印刷部に印刷を実行させる実行部と、
前記ＦＡＸインターフェースを介してＦＡＸデータを印刷部に印刷させる前に、ＦＡＸデータに基づく印刷の印刷品質を保つことのできる条件である印刷品質条件を満たすか否かを判断する条件判断部と、
ＦＡＸデータを記憶する内部記憶部と、
前記条件判断部が印刷品質条件を満たさないと判断し、前記内部記憶部にＦＡＸデータが記憶されているときに、前記読取部により読み取られた画像データに基づく印刷、前記ネットワークインターフェースを介して通信されたデータに基づく印刷、および、前記外部記憶装置に記憶されているデータに基づく印刷のうち少なくとも１つの印刷を前記実行部が実行したか否かを判断する実行判断部と、
前記読取部により読み取られた画像データに基づく印刷、前記ネットワークインターフェースを介して通信されたデータに基づく印刷、および、前記外部記憶装置に記憶されているデータに基づく印刷のうち少なくとも１つの印刷を前記実行部が実行したと前記実行判断部が判断した場合、前記内部記憶部に記憶されているＦＡＸデータに基づく印刷を実行させるか否かの問い合わせの表示をする表示部と、
前記表示部が表示するＦＡＸデータに基づく印刷を実行させるか否かの問い合わせに対して、返答を入力する返答入力部と、
前記返答入力部からＦＡＸデータに基づく印刷を実行させる旨の返答がされたか否かを判断する返答判断部と、を備え、
前記実行部は、前記読取部により読み取られた画像データに基づく印刷、前記ネットワークインターフェースを介して通信されたデータに基づく印刷、および、前記外部記憶装置に記憶されているデータに基づく印刷のうち少なくとも１つの印刷を実行させた後、前記返答判断部によりＦＡＸデータに基づく印刷を実行させる旨の返答がされたと判断した場合に、前記内部記憶部に記憶されているＦＡＸデータに基づく印刷を実行させることを特徴とするＦＡＸ装置。
【請求項２】
前記実行部が実行するＦＡＸデータに基づく印刷の印刷品質を保つことのできる所定量以上の色材の残量があるか否かを検出する残量検出部を備え、
前記条件判断部は、前記印刷品質条件として、前記残量検出部に検出される色材の残量に基づいて印刷品質条件を満たすか否かを判断することを特徴とする、請求項１に記載のＦＡＸ装置。
【請求項３】
前記印刷部が複数の色材を用いて記録用紙に印刷する場合に、前記読取部により読み取られた画像データに基づく印刷、前記ネットワークインターフェースを介して通信されたデータに基づく印刷、および、前記外部記憶装置に記憶されているデータに基づく印刷のうち少なくとも１つの印刷に使用した色材を検出する色材検出部を備え、
前記表示部は、前記色材検出部により検出された、前記読取部により読み取られた画像データに基づく印刷、前記ネットワークインターフェースを介して通信されたデータに基づく印刷、および、前記外部記憶装置に記憶されているデータに基づく印刷のうち少なくとも１つの印刷に使用した色材と同じ色の色材を用いて印刷を実行するＦＡＸデータを表示することを特徴とする請求項１又は請求項２に記載のＦＡＸ装置。
【請求項４】
前記表示部は、前記内部記憶部に記憶されているＦＡＸデータを表示し、
前記表示部に表示されたＦＡＸデータから、前記実行部に実行させるＦＡＸデータを選択させる選択部を備え、
前記実行部は、前記読取部により読み取られた画像データに基づく印刷、前記ネットワークインターフェースを介して通信されたデータに基づく印刷、および、前記外部記憶装置に記憶されているデータに基づく印刷のうち１つの印刷を実行させた後、前記内部記憶部に記憶されているＦＡＸデータのうち、前記選択部に選択されたＦＡＸデータに基づく印刷を実行させることを特徴とする請求項１〜３のいずれかに記載のＦＡＸ装置。
【請求項５】
前記表示部は、前記内部記憶部に記憶されているＦＡＸデータを表示し、
前記表示部に表示されたＦＡＸデータから、前記実行部に実行させるＦＡＸデータを選択させる選択部を備え、
前記実行部は、前記読取部により読み取られた画像データに基づく印刷、前記ネットワークインターフェースを介して通信されたデータに基づく印刷、および、前記外部記憶装置に記憶されているデータに基づく印刷のうち複数の印刷を実行させる際に、前記読取部により読み取られた画像データに基づく印刷、前記ネットワークインターフェースを介して通信されたデータに基づく印刷、および、前記外部記憶装置に記憶されているデータに基づく印刷のいずれか１つの印刷と、前記読取部により読み取られた画像データに基づく印刷、前記ネットワークインターフェースを介して通信されたデータに基づく印刷、および、前記外部記憶装置に記憶されているデータに基づく印刷のいずれか１つの印刷との間に、前記内部記憶部に記憶されているＦＡＸデータのうち、前記選択部に選択されたＦＡＸデータに基づく印刷を実行させることを特徴とする請求項１〜４のいずれかに記載のＦＡＸ装置。
【請求項６】
ＦＡＸデータを複数に分割する分割部を備え、
前記表示は、前記表示部により前記分割部に複数に分割されたＦＡＸデータのうち、一のＦＡＸデータに基づく印刷を前記実行部に実行させた後、前記実行部に他の分割ジョブを実行させるかの問い合わせの表示をし、
前記返答入力部は、他の分割されたＦＡＸデータに基づく印刷を前記実行部に実行させるか否かの問い合わせに返答を入力させ、
前記返答判断部は、前記返答入力部により入力された他の分割されたＦＡＸデータに基づく印刷を前記実行部に実行させるか否かの問い合わせの返答が、他の分割されたＦＡＸデータに基づく印刷を前記実行部に実行させる旨の返答であるか否かを判断し、
前記実行部は、前記返答判断部が次の分割されたＦＡＸデータに基づく印刷を前記実行部に実行させる旨の返答であると判断した場合に、他の分割されたＦＡＸデータに基づく印刷を実行させることを特徴とする請求項１〜５のいずれかに記載のＦＡＸ装置。
【請求項７】
前記表示部は、前記読取部により読み取られた画像データに基づく印刷、前記ネットワークインターフェースを介して通信されたデータに基づく印刷、および、前記外部記憶装置に記憶されているデータに基づく印刷のうち少なくとも１つの印刷に使用した色材と同じ色の色材を用いて実行するＦＡＸデータを、前記読取部により読み取られた画像データに基づく印刷、前記ネットワークインターフェースを介して通信されたデータに基づく印刷、および、前記外部記憶装置に記憶されているデータに基づく印刷のうち少なくとも１つの印刷に使用した色材と異なる色の色材を用いて実行するＦＡＸデータよりも、強調して表示することを特徴とする請求項６に記載のＦＡＸ装置。
【請求項８】
前記内部記憶部に記憶されているＦＡＸデータのうち用紙枚数が少ないＦＡＸデータを取得する取得部を備え、
前記表示部は、前記取得部に取得されたＦＡＸデータを強調して表示することを特徴とする請求項６又は請求項７に記載のＦＡＸ装置。
【発明の詳細な説明】
【技術分野】
【０００１】
本発明は、画像データを送受信するＦＡＸ装置に関する。
【背景技術】
【０００２】
従来から、色材の残量センサーが色材の残量の少ないことを検出している状態で印刷を実行すると、印刷結果がかすれてしまうことが知られている。例えば、印刷結果が薄くなって印刷された文字が読めないことがある。このため、色材の残量センサーが色材の残量が少ないことを検出すると、ＦＡＸデータの印刷ジョブであるＦＡＸジョブを実行させないＦＡＸ装置が知られている。
【０００３】
上記ＦＡＸ装置では、印刷結果がかすれ、印刷された文字が読めなくなる恐れがある期間でも、例えば、ＣｏｐｙやＰＣ‐Ｐｒｉｎｔの印刷ジョブである非ＦＡＸジョブを実行させ、非ＦＡＸジョブを実行させることができる。この場合、非ＦＡＸジョブを実行させた結果、ユーザによっては非印刷ジョブの印刷結果が許容できる印刷結果である場合があった。
【先行技術文献】
【特許文献】
【０００４】
【特許文献１】特開２００１−２７２８８８号公報
【発明の概要】
【発明が解決しようとする課題】
【０００５】
しかしながら、印刷結果が薄くなって印刷結果である文字がかすれてしまうため読めないことがある期間では、ユーザによってはＣｏｐｙやＰＣ‐Ｐｒｉｎｔの非ＦＡＸジョブの印刷結果が満足のいく印刷結果であるにも関わらず、依然としてＦＡＸジョブの実行は禁止されており、非ＦＡＸジョブの印刷結果を見てからＦＡＸジョブを実行させることができなかった。
【０００６】
そこで、ユーザが非ＦＡＸジョブの印刷結果を見てからＦＡＸジョブを実行させるか判断できるＦＡＸ装置を提供することを目的とする。
【課題を解決するための手段】
【０００７】
この目的を達成するために、本発明のＦＡＸ装置は、ＦＡＸデータを受信する受信部と、色材を用いて記録用紙に印刷する印刷部と、印刷ジョブを実行し、印刷部に印刷を実行させる実行部と、ＦＡＸデータに基づく印刷ジョブであるＦＡＸジョブの印刷品質を保つことのできる条件である印刷品質条件を満たすか否か判断する条件判断部と、条件判断部が印刷品質条件を満たさないと判断した場合、ＦＡＸジョブを記憶し、実行部によるＦＡＸジョブの実行を保留させる印刷保留部と、実行部がＦＡＸデータ以外の印刷ジョブである非ＦＡＸジョブを実行した後、印刷保留部に保留されているＦＡＸジョブを実行部が実行させるかの問い合わせの表示をする表示部と、表示部が表示する印刷保留部に保留されているＦＡＸジョブを実行させるかの問い合わせに対して、返答を入力する返答入力部と、返答入力部からＦＡＸジョブを実行させる旨の返答がされたか否かを判断する返答判断部と、を備え、印刷保留部は、返答判断部によりＦＡＸジョブを実行させる旨の返答がされたと判断した場合に、印刷保留部に保留しているＦＡＸジョブの保留を解除し、前記実行部は印刷保留部に保留を解除されたＦＡＸジョブを実行することを特徴とする。
【０００８】
このように構成されたＦＡＸ装置によれば、ユーザは、非ＦＡＸジョブの印刷結果を見てからＦＡＸジョブを実行させるか判断できることとなり、ユーザが許容した印刷品質でＦＡＸジョブを実行させることができる。
【０００９】
また、実行部が実行するＦＡＸジョブの印刷品質を保つことのできる所定量以上の色材の残量があるか否かを検出する残量検出部を備え、条件判断部は、印刷品質条件として、残量検出部に検出される色材の残量に基づいて印刷品質条件を満たすか否かを判断してもよい。
【００１０】
このように構成されたＦＡＸ装置によれば、印刷品質に影響与える可能性が高い色材の残量を印刷品質条件とすることとなり、適切に印刷品質を判断することができる。
【００１１】
また、印刷部が複数の色材を用いて記録用紙に印刷する場合に、非ＦＡＸジョブに使用した色材を検出する色材検出部を備え、印刷保留部は、色材検出部により検出された非ＦＡＸジョブに使用した色材を用いて実行可能であり、かつ、保留しているＦＡＸジョブの保留を解除するようにしてもよい。
【００１２】
このように構成されたＦＡＸ装置によれば、ユーザが許容した非ＦＡＸジョブと同程度の印刷品質が得られる可能性を高めることとなり、ＦＡＸジョブの印刷品質を推定しやすくなる。
【００１３】
また、印刷保留部は、１つの非ＦＡＸジョブを実行部が実行させた後、次の印刷ジョブとして、保留しているＦＡＸジョブの保留を解除するようにしてもよい。
【００１４】
このように構成されたＦＡＸ装置によれば、印刷部が１つの非ＦＡＸジョブを印刷中に、ＦＡＸジョブに割り込まれることによる非ＦＡＸジョブ中での印刷品質に差異が出る可能性が低くなる。
【００１５】
また、印刷保留部は、複数の非ＦＡＸジョブを実行部が実行させる際に、非ＦＡＸジョブと非ＦＡＸジョブとの間に、保留しているＦＡＸジョブの保留を解除するようにしてもよい。
【００１６】
このように構成されたＦＡＸ装置によれば、例えば、非ＦＡＸジョブを全部印刷してからＦＡＸジョブを印刷してしまうと、ＦＡＸジョブの印刷品質が低下する可能性が高くなるが、これと比べて印刷品質が低下する可能性が低い非ＦＡＸジョブと非ＦＡＸジョブとのジョブの実行の間に、ＦＡＸジョブを実行させることとなり、ユーザが許容した非ＦＡＸジョブと同程度の印刷品質が得られる可能性を高めることができる。
【００１７】
また、ＦＡＸジョブを複数に分割する分割部を備え、印刷保留部は、表示部により分割部に複数に分割されたＦＡＸジョブである分割ジョブのうち、実行部が分割ジョブ実行させた後、実行部に次の分割ジョブを実行させるかの問い合わせの表示がされ、返答入力部により入力された実行部に次の分割ジョブを実行させるかの問い合わせの返答が、実行部に次の分割ジョブを実行させる旨の返答であるか返答判断部が判断し、返答判断部が実行部に次の分割ジョブを実行させる旨の返答であると判断した場合に、次の分割ジョブの保留を解除するようにしてもよい。
【００１８】
このように構成されたＦＡＸ装置によれば、印刷部にＦＡＸジョブを分割単位で印刷させるごとに、ユーザがＦＡＸジョブの印刷品質をチェックすることとなり、ユーザが大量にかすれ印刷されてしまうことを回避することができる。
【００１９】
また、表示部は、印刷保留部に保留されているＦＡＸジョブを表示し、表示部に表示されたＦＡＸジョブから、実行部が実行させるＦＡＸジョブを選択する選択部とを備え、印刷保留部は、保留しているＦＡＸジョブのうち、選択部に選択されたＦＡＸジョブの保留を解除するようにしてもよい。
【００２０】
このように構成されたＦＡＸ装置によれば、印刷保留部に保留されたＦＡＸジョブから、ユーザ所望のＦＡＸジョブを印刷させることが可能となり、ユーザの利便性が増す。
【００２１】
また、表示部は、非ＦＡＸジョブに使用した色材を用いて実行可能であり、かつ、印刷保留部に保留されているＦＡＸジョブを、非ＦＡＸジョブの実行に使用した色材を用いて実行不可能であり、かつ、印刷保留部に保留されているＦＡＸジョブよりも、強調して表示するようにしてもよい。
【００２２】
このように構成されたＦＡＸ装置によれば、ＦＡＸジョブのうち、非ＦＡＸジョブの印刷に使用した色材を用いて実行可能なＦＡＸジョブをユーザが選択しやすくなり、ユーザの利便性が増す。
【００２３】
また、印刷保留部に保留されているＦＡＸジョブのうち用紙枚数が少ないＦＡＸジョブを取得する取得部を備え、表示部は、非ＦＡＸジョブの実行に使用した色材を用いて実行可能であり、かつ、印刷保留部に保留されているＦＡＸジョブのうち、取得部に取得されたＦＡＸジョブを強調して表示するようにしてもよい。
【００２４】
このように構成されたＦＡＸ装置によれば、ユーザの許容する印刷品質でＦＡＸジョブの印刷を完結する可能性が高くなる。
【図面の簡単な説明】
【００２５】
【図１】本発明を適用した複合機の外観を表す斜視図である。
【図２】図１に示した複合機にかかる画像形成部の内部構成を示す図である。
【図３】図１に示した複合機にかかる画像読取部の内部構成を示す図である。
【図４】プロセス部の概略構成を示す断面図である。
【図５】色材残量検出機構の概念を示す概略図である。
【図６】色材残量検出機構における一般的な色材検出波形を示すグラフである。
【図７】複合機の電気的構成を示すブロック図である。
【図８】ＦＡＸ受信処理の流れを示すフローチャートである。
【図９】印刷ジョブ監視処理の流れを示すフローチャートである。
【図１０】ＦＡＸジョブのジョブリストの一例を示す図である。
【図１１】ＦＡＸジョブと関連情報とのテーブルの一例を示す図である。
【図１２】ＦＡＸジョブ印刷処理の流れを示すフローチャートである。
【発明を実施するための形態】
【００２６】
（複合機の全体構成）
実施の形態の複合機１は、図１に示すように、記録用紙に画像を形成する画像形成部１０（本発明の印刷部の一例）と、原稿の画像を読み取る画像読取部２０とを備えている。また、画像読取部２０の前面側には、スタートキー、ストップキー、テンキー等から構成されるボタン群から構成される操作部１４（本発明の返答入力部、選択部の一例）と、液晶ディスプレイからなる表示部１５（本発明の表示部の一例）とが備えられ、操作部１４により動作状況の表示やユーザによる入力操作が可能になっている。
【００２７】
（画像形成部の構成）
続いて、記録用紙に画像を形成する画像形成部１０について説明する。画像形成部１０は、図２に示すように、色材像を形成し、その色材像を記録用紙に転写するプロセス部５０と、記録用紙上の未定着の色材を定着させる定着装置８と、画像形成前の記録用紙を載置する給紙トレイ９１と、画像形成後の記録用紙を載置する排紙トレイ９２とを備えている。
【００２８】
また、画像形成部１０内には、底部に位置する給紙トレイ９１に収容された記録用紙が、給紙ローラ７１、プロセス部５０、定着装置８を通り、排紙ローラ７６を介して上部の排紙トレイ９２への導かれるように、略Ｓ字形状の搬送路１１（図２中の一点鎖線）が設けられている。
【００２９】
プロセス部５０は、カラー画像の形成が可能であり、イエロー（Ｙ）、マゼンタ（Ｍ）、シアン（Ｃ）、ブラック（Ｋ）の各色に対応するプロセス部を並列に配置している。具体的には、Ｙ色の画像を形成するプロセス部５０Ｙと、Ｍ色の画像を形成するプロセス部５０Ｍと、Ｃ色の画像を形成するプロセス部５０Ｃと、Ｋ色の画像を形成するプロセス部５０Ｋとを備えている。
【００３０】
さらに、画像形成部１０は、各プロセス部５０Ｙ、５０Ｍ、５０Ｃ、５０Ｋに光を照射する露光装置５３と、搬送ローラ７３、７４によって張架され、記録用紙を各プロセス部５０Ｙ、５０Ｍ、５０Ｃ、５０Ｋの転写位置に搬送する搬送ベルト７とを備えている。各プロセス部５０Ｋ、５０Ｙ、５０Ｍ、５０Ｃは、周知の電子写真方式によって色材像を形成するものである。
【００３１】
画像形成部１０は、給紙トレイ９１に載置されている記録用紙を１枚ずつ取り出し、その記録用紙をプロセス部５０に搬送し、プロセス部５０にて形成された色材像をその記録用紙に転写する。その後、色材像が転写された記録用紙を定着装置８に搬送し、色材像をその記録用紙に熱定着させる。そして、定着後の記録用紙を排紙トレイ９２に排出する。
【００３２】
（画像読取部の構成）
続いて、原稿の画像を読み取る画像読取部２０について説明する。画像読取部２０は、図３に示すように、原稿の画像を読み取るスキャナ部２１と、原稿の自動搬送を行うＡＤＦ（Ａｕｔｏ  Ｄｏｃｕｍｅｎｔ  Ｆｅｅｄｅｒ：自動原稿供給装置）２２とを備えている。スキャナ部２１は、その上面に位置する透明なプラテンガラス２３、２４と、その内部に位置するＣＩＳユニット２５とを備えている。
【００３３】
ＡＤＦ２２は、読み取り前の原稿を載置する原稿トレイ２２１と、読み取り後の原稿を載置する排出トレイ２２２とを備えている。具体的に、原稿トレイ２２１は、排出トレイ２２２の上方に配設されている。ＡＤＦ２２は、原稿トレイ２２１に載置された原稿を１枚ずつ取り出し、その原稿をＡＤＦ２２内の搬送路２７に搬送し、その原稿の読み取りが行われた後、その原稿を排出トレイ２２２上に排出する。
【００３４】
原稿の読取方式としては、フラットベッド（原稿固定走査）方式と、ＡＤＦ（原稿移動走査）方式とがある。フラットベッド方式の場合、原稿を１枚ずつプラテンガラス２４（以下、「ＦＢガラス２４」とする）上に載置する。その状態で、ＣＩＳユニット２５が副走査方向（主走査方向に直交方向、図３の矢印Ａ方向）に移動し、その際に主走査方向に１ラインずつ原稿の画像が読み取られる。
【００３５】
一方、ＡＤＦ方式の場合、原稿を纏めて原稿トレイ２２１に載置する。そして、ＣＩＳユニット２５がプラテンガラス２３（以下、「ＡＤＦガラス２３」とする）に対向する位置に移動し、固定される。その状態で、原稿が１枚ずつＡＤＦガラス２３に対向する位置（読取位置）に搬送され、その際に主走査方向に１ラインずつ原稿の画像が読み取られる。
【００３６】
また、ＣＩＳユニット２５は、ＬＥＤからなる光源と、セルフォックレンズ等の光学素子群と、光を受光するＣＩＳ（Ｃｏｎｔａｃｔ  Ｉｍａｇｅ  Ｓｅｎｓｏｒ）からなる受光素子群と、を備えている。具体的には、光源が光を照射し、照射された光が原稿によって反射され、反射光を光学素子群が集光し、集光された反射光が受光素子群によって受光されることにより原稿のアナログデータが取得される。そして、ＡＤ変換器がアナログデータをデジタルデータに変換し、画像データが生成されるように構成されている。
【００３７】
（プロセス部の構成）
続いて、プロセスカートリッジを構成するプロセス部５０について説明する。プロセス部５０は、図４に示すように、現像部６０と、色材収容部７０とを有し、両者が供給口６９を介して連通している。本形態では、現像剤として、非磁性の一成分色材が色材収容部７０内に充填される。
【００３８】
現像部６０には、色材を担持するとともにその色材を感光体ドラムに向けて搬送する現像ローラ６１と、現像ローラ６１への色材の供給および現像ローラ６１上の色材の掻き取りを行う色材供給ローラ６２と、現像ローラ６１上の色材の厚みを規制するとともに色材を荷電する規制部材６３とを備えている。
【００３９】
色材収容部７０には、色材を攪拌する部材としてのアジテータ７１が設けられている。アジテータ７１は、図示しないモータによって回転駆動され、色材収容部７０内の色材を攪拌する。攪拌された色材の一部は、供給口６９を介して現像部６０に向かって放出される。また、色材収容部７０の左右両側の側壁には、色材残量検出用の透光窓７６（図４中では一方の側の透光窓のみを図示）が設けられている。色材の残量検出機構の詳細については後述する。
【００４０】
供給口６９から現像部６０に放出された色材は、色材供給ローラ６２の回転によって現像ローラ６１に供給され、このとき、色材供給ローラ６２と現像ローラ６１との間で摩擦帯電される。現像ローラ６１上に供給された色材は、現像ローラ６１の回転に伴って規制部材６３と現像ローラ６１との間に進入し、摩擦帯電されつつ薄層化される。そして、感光体ドラムとの対向位置にて、一部の色材が感光体ドラム上へと移動し、静電潜像を可視化する。
【００４１】
アジテータ７１は、色材収容部７０のほぼ全幅にわたる幅寸法を有する平板状の攪拌板７４と、回転軸７２に連接される連接部材７３とを有している。攪拌板７４は、回転軸７２の回転に伴って回転軸７２を中心に回動し、色材収容部７０内に格納された色材を攪拌する。
【００４２】
（色材残量検出機構の構成）
続いて、色材残量検出機構９０（本発明の残量検出部の一例である）について説明する。色材残量検出機構９０は、画像形成装置本体に配置される２つの光学センサーによって構成される。具体的には、図５に示すように、一方の透光窓７６の外側に発光素子９１が、他方の透光窓７６の外側に受光素子９２がそれぞれ配置される。そして、色材残量検出用の検出光９３が発光素子９１から射出され、色材収容部７０内を通過した検出光９０を受光素子９２にて検出し、その出力値に応じて色材の残量を判断する。
【００４３】
図６は、色材残量検出機構９０における一般的な色材検出波形を示している。図６のグラフ中、縦軸は色材検出レベルを示している。色材残量検出機構９０では、色材によって透光窓７６が完全に遮光されている状態（受光素子９２にとっては受光レベルが低い状態）では色材の残量が多いと検出され、透光窓７６が遮光されていない状態（受光素子９２にとっては受光レベルが高い状態）では色材の残量が少ないと検出される。なお、色材の残量が本発明の印刷品質条件の一例である。
【００４４】
プロセス部５０では、アジテータ７１が回動することで色材を掻き集める。色材が掻き集められると、透光窓７６が徐々に色材に覆われ、発光素子９１と受光素子９２との間の光路が徐々に遮光される。すなわち、色材が掻き集められることで、色材検出レベルが徐々に上昇する。
【００４５】
そして、アジテータ７１が透光窓７６を通過すると、掻き集められた色材も透光窓７６を通過することになり、色材による遮光度合いが低くなる。すなわち、色材検出レベルが急降下する。光の通過期間（ｔ）が所定時間以上となると、色材の残量が少ないと判断される。ここで、色材の残量が少ないと判断される場合は、印刷ジョブに基づいて画像形成部１０に記録用紙上に画像を形成させると、画像にかすれ等が生じるおそれのある状態である。
【００４６】
また、色材検出波形中、色材検出レベルが急降下したタイミングから次の急降下のタイミングまでの間隔、すなわち色材検出波形が描くパルスの周期が、アジテータ７１が透光窓７６を通過する間隔（Ｔ）となる。この間隔（Ｔ）が色材残量検出機構９０のオンオフの周期となる。アジテータ７１が回転軸７２上に１つのみ設けられている場合には、間隔（Ｔ）はアジテータ７１の１回転する期間と等しい。
【００４７】
（複合機１の電気的構成）
続いて、複合機１の電気的構成について説明する。図７は、複合機の電気的構成を示すブロック図である。複合機１は、ＣＰＵ１０１（本発明の実行部、条件判断部、返答判断部、分割部、取得部の一例である）と、ＲＯＭ１０２と、ＲＡＭ１０３と、ＮＶＲＡＭ（Ｎｏｎ  Ｖｏｌａｔｉｌｅ  ＲＡＭ）１０４と、ＦＡＸインターフェース（ＦＡＸ  Ｉ／Ｆ）１０５と、ネットワークインターフェース（ネットワーク  Ｉ／Ｆ）１０６と、画像形成部１０と、操作部１４と、表示部１５と、画像読取部２０と、色材残量検出機構９０とを備える。
【００４８】
ＣＰＵ１０１は、複合機１におけるスキャン機能、プリント機能、ＦＡＸ通信機能等の各種機能を実現するための演算を実行し、制御の中枢となるものである。ＲＯＭ１０２は、複合機１を制御するための各種制御プログラムや各種設定、初期値等を記憶するものである。
【００４９】
ＲＡＭ１０３は、各種制御プログラムが読み出される作業領域として、あるいは画像等を一時的に記憶する記憶領域として利用される。ＮＶＲＡＭ１０４は、不揮発性を有する記憶手段であって、各種設定ないし画像等を記憶するものである。
【００５０】
ＦＡＸインターフェース１０５は、ＦＡＸ通信を行うためのものであり、電話回線に接続される。具体的にＦＡＸインターフェース１０５は、ＮＣＵやモデム等によって構成される。
【００５１】
ネットワークインターフェース１０６には、パーソナルコンピュータ（ＰＣ）等の情報機器（不図示）が接続され、このネットワークインターフェース１０６を介して情報機器との相互のデータ通信が可能になっている。
【００５２】
なお、ＣＰＵ１０１とＮＶＲＡＭ１０４とが本発明の印刷保留部の一例であり、ＣＰＵ１０１とＦＡＸインターフェース１０５とが本発明の受信部の一例である。また、ＣＰＵ１０１と画像形成部１０とが本発明の色材検出部の一例である。
【００５３】
（色材残量監視処理）
続いて、色材残量監視処理について説明する。ＣＰＵ１０１は、定期的に色材残量監視処理を実行させている。
【００５４】
まず、ＣＰＵ１０１は、色材残量検出機構９０によって、定期的に色材残量を検出し、色材の残量が少ないか判断する。次に、ＣＰＵ１０１は、色材の残量が少ないと判断した場合、ＦＡＸの受信モードが受信したＦＡＸデータから生成される印刷ジョブであるＦＡＸジョブ（以下、ＦＡＸジョブという）に基づいて画像形成部１０に記録用紙上に画像を形成させずに、ＦＡＸジョブをＮＶＲＡＭ１０４に記憶させるメモリ受信モード（以下、メモリ受信モードという）に設定し、色材残量監視処理を終了する。なお、ＦＡＸジョブに基づいて画像形成部１０に記録用紙上に画像を形成させずに、ＦＡＸジョブをＮＶＲＡＭ１０４に記憶させることを保留ともいう。
【００５５】
一方、ＣＰＵ１０１は、色材の残量が多いと判断した場合、メモリ受信モードを設定せずに、色材残量監視処理を終了する。
【００５６】
（ＦＡＸ受信処理）
続いて、図８は、ＦＡＸ受信処理の流れを示すフローチャートである。ＦＡＸ受信処理は、ＣＰＵ１０１により定期的に実行され、他の処理とは別に実行される。
【００５７】
まず、ＣＰＵ１０１は、ＦＡＸデータを受信したか判断し（Ｓ１０１）、ＦＡＸデータを受信していない場合（Ｓ１０１：ＮＯ）、ＦＡＸデータを受信するまで、ＦＡＸデータを受信するまで待機する。
【００５８】
一方、ＣＰＵ１０１は、ＦＡＸデータを受信したと判断した場合（Ｓ１０１：ＹＥＳ）、ＦＡＸデータをＮＶＲＡＭ１０４に一時的に記憶させ、色材が少ないか判断する（Ｓ１０２）。ＣＰＵ１０１は、色材の残量が少ないと判断した場合（Ｓ１０２：ＹＥＳ）、受信したＦＡＸデータを解析して、印刷時に使用する色材の色を取得する（Ｓ１０３）。
【００５９】
Ｓ１０３に続いて、ＣＰＵ１０１は、受信したＦＡＸデータを解析して、印刷に必要な記録用紙の印刷枚数を取得し（Ｓ１０４）、受信したＦＡＸデータを解析して得られた印刷時に使用する色材の色と印刷に必要な記録用紙の印刷枚数とを、ＦＡＸジョブに関連付けてＮＶＲＡＭ１０４に記憶させ（Ｓ１０５）、ＦＡＸ受信処理を終了する。
【００６０】
Ｓ１０２において、ＣＰＵ１０１は、色材の残量が少なくないと判断した場合（Ｓ１０２：ＮＯ）、受信したＦＡＸデータに基づいて画像形成部１０に記録用紙上に画像形成させ（Ｓ１０６）、ＮＶＲＡＭ１０４に一時的に記憶させていたＦＡＸデータをＮＶＲＡＭ１０４から消去させてから、ＦＡＸ受信処理を終了させる。
【００６１】
（印刷ジョブ監視処理）
続いて、印刷ジョブ監視処理について説明する。図９は、印刷ジョブ監視処理の流れを示すフローチャートである。印刷ジョブ監視処理は、常時、ＦＡＸ受信処理とは別に実行される。
【００６２】
まず、ＣＰＵ１０１は、色材残量検出結果から色材の残量が少ないか判断し（Ｓ２０１）、色材の残量が少ないと判断した場合（Ｓ２０１：ＮＯ）、印刷ジョブ監視処理を終了させる。
【００６３】
一方、ＣＰＵ１０１は、色材の残量が少ないと判断した場合（Ｓ２０１：ＹＥＳ）、ＦＡＸジョブがあるか判断し（Ｓ２０２）、ＦＡＸジョブがないと判断した場合（Ｓ２０２：ＮＯ）、印刷ジョブ監視処理を終了する。
【００６４】
Ｓ２０２において、ＣＰＵ１０１は、ＦＡＸジョブがあると判断した場合（Ｓ２０２：ＹＥＳ）、ＰＣからネットワークインターフェース１０６を介して送信された印刷ジョブ（本発明の非ＦＡＸジョブの一例であり、以下、非ＦＡＸジョブともいう）に基づいて画像形成部１０に記録用紙上に画像を形成させるＰＣ−Ｐｒｉｎｔ（以下、ＰＣ−Ｐｒｉｎｔという）、又は、画像読取部２０に読み取らせた原稿上の画像の画像データから生成される印刷ジョブ（本発明の非ＦＡＸジョブの一例であり、以下、非ＦＡＸジョブともいう）に基づいて画像形成部１０に記録用紙上に画像を形成させるＣｏｐｙ（以下、Ｃｏｐｙという）を実行させるか判断する（Ｓ２０３）。
【００６５】
Ｓ２０３において、ＣＰＵ１０１は、ＰＣ−Ｐｒｉｎｔ又はＣｏｐｙを実行させると判断した場合（Ｓ２０３：ＹＥＳ）、１つの印刷ジョブに基づくＰＣ−Ｐｒｉｎｔ又はＣｏｐｙにより画像形成部１０が使用した色材の色を、例えば、ＣＰＵ１０１は色材の色ごとに使用したドット数をカウントすることで画像形成部１０が使用した色材の色を検出し（Ｓ２０４）、ＲＡＭ１０３に記憶させる。
【００６６】
Ｓ２０４に続いて、ＣＰＵ１０１は、１つの印刷ジョブに基づくＰＣ−Ｐｒｉｎｔ又はＣｏｐｙが終了したか判断し（Ｓ２０５）、１つの印刷ジョブに基づくＰＣ−Ｐｒｉｎｔ又はＣｏｐｙが終了した場合（Ｓ２０５：ＹＥＳ）、Ｓ２０６に進む。
【００６７】
一方、１つの印刷ジョブに基づくＰＣ−Ｐｒｉｎｔ又はＣｏｐｙが終了していない場合（Ｓ２０５：ＮＯ）、１つの印刷ジョブに基づくＰＣ−Ｐｒｉｎｔ又はＣｏｐｙが終了するまで待機する。なお、Ｓ２０３において、ＣＰＵ１０１は、ＰＣ−Ｐｒｉｎｔ又はＣｏｐｙを実行させないと判断した場合（Ｓ２０３：ＮＯ）、つまりＰＣ−Ｐｒｉｎｔ又はＣｏｐｙの印刷ジョブがない場合、Ｓ２０１に戻る。
【００６８】
次に、Ｓ２０６において、ＣＰＵ１０１は、ＦＡＸジョブに基づいて画像形成部１０に記録用紙上に画像を形成させるか、ユーザに問い合わせる。具体的には、ＣＰＵ１０１は、「メモリ受信したＦＡＸデータを印刷しますか？」というメッセージを表示部１５に表示させ、ＦＡＸジョブに基づいて画像形成部１０に記録用紙上に画像を形成させる指示があるか判断する（Ｓ２０６）。
【００６９】
ここで、ＰＣ−Ｐｒｉｎｔ又はＣｏｐｙの印刷ジョブの後に、ＦＡＸジョブに基づいて画像形成部１０に記録用紙上に画像を形成させるのは、ＰＣ−Ｐｒｉｎｔ又はＣｏｐｙの印刷ジョブの元となるデータはユーザ自身が所持している可能性が高く、画像形成に失敗しても印刷ジョブの元となるデータを失うわけではなく、やり直しがしやすい。一方、ＦＡＸジョブは電話回線を介して送信されたＦＡＸデータから生成され、一度印刷してしまうと、ＮＶＲＡＭ１０４等からＦＡＸデータが消去されてしまう構成のＦＡＸ装置がほとんどある。
【００７０】
このような構成のＦＡＸ装置では、ユーザの手元にＦＡＸデータの原本が残らず、印刷を失敗すると、ユーザはＦＡＸデータの再送を依頼せねばならず、手間となる。このため、色材の残量が少ないときは、ＦＡＸジョブに基づいて画像形成部１０に記録用紙上に画像を形成させていないが、色材が交換されたり、補充されたりするまでは、一切、ＦＡＸジョブに基づいて画像形成部１０に記録用紙上に画像を形成させることができない。
【００７１】
そこで、ユーザが画像形成のやり直しがしやすいＰＣ−Ｐｒｉｎｔ又はＣｏｐｙの印刷ジョブの画像形成の結果を視認し、画像形成の結果にはほとんどかすれがなく、ユーザが印刷結果を許容できる場合は、ＦＡＸジョブに基づいて画像形成部１０に記録用紙上に画像を形成することが禁止されるときでも、ＦＡＸジョブに基づいて画像形成部１０に記録用紙上に画像を形成させることができる。
【００７２】
Ｓ２０６において、ＣＰＵ１０１は、ＦＡＸジョブに基づいて画像形成部１０に記録用紙上に画像を形成させる指示があったと判断した場合（Ｓ２０６：ＹＥＳ）、具体的にはＳ２０７のメッセージでは「はい」「いいえ」の選択が可能であり、「はい」が選択されたと判断した場合、図１０に示すようなＦＡＸジョブのジョブリスト２００を表示部１５に表示させ（Ｓ２０７）、ユーザに画像形成部１０に記録用紙上に画像を形成させるＦＡＸジョブを選択させる。
【００７３】
ここで、図１０のジョブリスト２００を表示する際に、まず、ＣＰＵ１０１は、Ｓ２０４において１つの印刷ジョブに基づくＰＣ−Ｐｒｉｎｔ又はＣｏｐｙにより画像形成部１０に使用させた色材の色と同じ色を使って、画像形成部１０に記録用紙上に画像を形成させることができるＦＡＸジョブを特定する。次に、色によって特定されたＦＡＸジョブのうち印刷枚数の最も少ないＦＡＸジョブに二重丸の記号を印刷ジョブ名の頭に付し、強調して表示する。
【００７４】
例えば、ジョブリスト２００に表示されているＦＡＸジョブ１〜４は、図１１に示すテーブル２０１ように使用する色材の色と印刷に必要な記録用紙の印刷枚数との情報を関連付けて、ＮＶＲＡＭ１０４に記憶されている。このとき、Ｓ２０３において、ＣＰＵ１０１は、Ｙ色、Ｍ色、Ｃ色を使用する印刷ジョブに基づくＰＣ−Ｐｒｉｎｔを実行させると判断した場合、Ｓ２０４において、ＰＣ−Ｐｒｉｎｔにより画像形成部１０に使用させた色材がＹ色、Ｍ色、Ｃ色であることをＲＡＭ１０３に記憶させる。
【００７５】
このとき、ＣＰＵ１０１は、図１１に示すようにＦＡＸジョブ１がＭ色、Ｙ色の色材を使用し、ＦＡＸジョブ２がＭ色、Ｃ色の色材を使用し、ＦＡＸジョブ３がＭ色、Ｙ色、Ｃ色の色材を使用するので、ＰＣ−Ｐｒｉｎｔを実行させた場合に使用したＹ色、Ｍ色、Ｃ色の色材を使って、ＦＡＸジョブ１〜３を印刷することができると判断する。このため、ＦＡＸジョブ１〜３はジョブリスト２００の上位に表示される。また、ＦＡＸジョブ１〜３のうち、ＦＡＸジョブ１とＦＡＸジョブ２とは、印刷枚数が２枚で同じであり、ＦＡＸジョブ１〜３なかで最小の印刷枚数であるから、ＦＡＸジョブ１もＦＡＸジョブ２も二重丸の記号を印刷ジョブ名の頭に付されて強調表示される。
【００７６】
なお、ＦＡＸジョブ４は、Ｋ色の色材を使用するので、ＦＡＸジョブ４を印刷させる場合はＰＣ−Ｐｒｉｎｔを実行させた場合に使用していない色を使うこととなり、ジョブリスト２００の最下位に表示されることとなる。また、ＦＡＸジョブ１〜３のうちＦＡＸジョブ３は、印刷枚数が３枚であり、ＦＡＸジョブ１とＦＡＸジョブ２の印刷枚数の２枚と比べて、印刷枚数が多いことから、ＦＡＸジョブ１とＦＡＸジョブ２よりも下位に表示される。
【００７７】
次に、ＣＰＵ１０１は、図１０のジョブリスト２００において画像形成部１０に記録用紙上に画像を形成させるＦＡＸジョブが選択されたか判断し（Ｓ２０８）、ＦＡＸジョブが選択されたと判断した場合（Ｓ２０８：ＹＥＳ）、選択されたＦＡＸジョブについてＦＡＸジョブ印刷処理を実行する（Ｓ２０９）。なお、ＦＡＸジョブ印刷処理についての詳細は後述する。
【００７８】
次に、ＣＰＵ１０１は、Ｓ２０８において選択された全てのＦＡＸジョブを画像形成部１０に記録用紙上に画像を形成させたか判断し（Ｓ２１０）、選択された全てのＦＡＸジョブを画像形成部１０に記録用紙上に画像を形成させたと判断した場合（Ｓ２１０：ＹＥＳ）、印刷ジョブ監視処理を終了させる。
【００７９】
一方、ＣＰＵ１０１は、選択された全てのＦＡＸ印刷ジョブを画像形成部１０に記録用紙上に画像を形成させいないと判断した場合（Ｓ２１０：ＮＯ）、Ｓ２０９に戻り、選択された残りのＦＡＸジョブを画像形成部１０に記録用紙上に画像を形成させる。
【００８０】
なお、ＣＰＵ１０１は、Ｓ２０６において「いいえ」が選択されたと判断した場合（Ｓ２０６：ＮＯ）、及び、印刷ジョブが選択されていないと判断した場合（Ｓ２０８：ＹＥＳ）、具体的には、図１０においてユーザが「キャンセル」を選択した場合は、印刷ジョブ監視処理を終了する。
【００８１】
（ＦＡＸジョブ印刷処理）
続いて、ＦＡＸジョブ印刷処理について説明する。図１２は、ＦＡＸジョブ印刷処理の流れを示すフローチャートである。ＦＡＸジョブ印刷処理は、ＣＰＵ１０１により印刷ジョブ監視処理の中に実行される。
【００８２】
まず、ＣＰＵ１０１は、Ｓ２０８において選択された１つのＦＡＸジョブについて、記録用紙１枚分のＦＡＸジョブ（本発明の分割ジョブの一例）を、画像形成部１０に記録用紙上に画像を形成させる印刷処理を実行させるか判断し（Ｓ３０１）、記録用紙１枚分のＦＡＸジョブの印刷処理を実行させたと判断した場合（Ｓ３０１：ＹＥＳ）、印刷処理の実行を一時停止させる（Ｓ３０２）。
【００８３】
なお、ＣＰＵ１０１は、記録用紙１枚分のＦＡＸジョブの印刷処理を実行させていないと判断した場合（Ｓ３０１：ＮＯ）、未だ記録用紙１枚分のＦＡＸジョブの印刷処理が終わっていないので、記録用紙１枚分のＦＡＸジョブの印刷処理が終わるまで待機する。
【００８４】
次に、ＣＰＵ１０１は、ＦＡＸジョブの全てのページの印刷処理が終了したか判断し（Ｓ３０３）、ＦＡＸジョブの全てのページの印刷処理を終了させたと判断した場合（Ｓ３０３：ＹＥＳ）、全てのページの印刷処理が終了したＦＡＸジョブをＮＶＲＡＭ１０４から削除させ（Ｓ３０４）、印刷処理の実行を終了させ（Ｓ３０６）、ＦＡＸジョブ印刷処理を終了させる。
【００８５】
一方、ＣＰＵ１０１は、ＦＡＸジョブの全てのページの印刷処理を終了させていないと判断した場合（Ｓ３０３：ＮＯ）、次の記録用紙１枚分のＦＡＸジョブの印刷処理を実行するか問い合わせ（Ｓ３０５）、具体的には「次のページも印刷させますか？」というメッセージを表示部１５に表示させる。
【００８６】
そして、ＣＰＵ１０１は、次の記録用紙１枚分の印刷処理を実行する指示があったと判断した場合（Ｓ３０５：ＹＥＳ）、具体的にはＳ３０７のメッセージでは「はい」「いいえ」の選択が可能であり、「はい」が選択されたと判断した場合、Ｓ３０１に戻る。そして、次の記録用紙１枚分のＦＡＸジョブの印刷処理を実行させる。
【００８７】
一方、ＣＰＵ１０１は、次の記録用紙１枚分の印刷処理を実行する指示がされなかったと判断した場合（Ｓ３０５：ＮＯ）、具体的には、「いいえ」が選択されたと判断した場合、ＮＶＲＡＭ１０４から該当するＦＡＸジョブにかかるＦＡＸデータを削除させずに、印刷処理の実行を終了させ（Ｓ３０６）、ＦＡＸジョブ印刷処理を終了させる。これは、ユーザが記録用紙１枚分のＦＡＸジョブの印刷処理結果に満足がいかなかったためであり、該当するＦＡＸジョブは再度印刷処理を実行される可能性が高いので、ＮＶＲＡＭ１０４から該当するＦＡＸジョブにかかるＦＡＸデータを削除させない方が、ユーザの利便性が増す。
【００８８】
（本実施形態の効果）
ＣＰＵ１０１は、画像形成部１０にＦＡＸデータ以外の印刷ジョブであるＰＣからネットワークインターフェース１０６を介して送信された印刷ジョブ又は、画像読取部２０に読み取らせた原稿上の画像の画像データから生成される印刷ジョブである非ＦＡＸジョブに基づいて記録用紙上に画像を形成させた後、ＮＶＲＡＭ１０４に保留されているＦＡＸジョブを印刷するか表示部１５に表示させ、ＦＡＸジョブに基づいて画像形成部１０に記録用紙上に画像を形成させる指示があるか判断し、ＦＡＸジョブに基づいて画像形成部１０に記録用紙上に画像を形成させる指示があったと判断した場合ＡＸジョブに基づいて画像形成部１０に記録用紙上に画像を形成させる。
【００８９】
このように構成された複合機１によれば、ユーザは、非ＦＡＸジョブの印刷結果を見てからＦＡＸジョブに基づいて画像形成部１０に記録用紙上に画像を形成させるか判断できることとなり、ユーザが許容した印刷品質でＦＡＸデジョブに基づいて画像形成部１０に記録用紙上に画像を形成させることができる。
【００９０】
また、印刷品質条件は、色材の残量であるので、印刷品質に影響与える可能性が高い色材の残量を印刷品質条件とすることとなり、ＣＰＵ１０１は、適切に印刷品質を判断することができる。
【００９１】
また、ＣＰＵ１０１は、画像形成部１０に非ＦＡＸジョブに基づいて記録用紙上に画像を形成したときに使用した色材を用いて記録用紙上に画像を形成させるので、ユーザが許容した非ＦＡＸジョブと同程度の印刷品質が得られる可能性を高めることとなり、ＦＡＸジョブの印刷品質を推定しやすくなる。
【００９２】
また、ＣＰＵ１０１は、画像形成部１０に１つの非ＦＡＸジョブに基づいて記録用紙上に画像を形成させた後、画像形成部１０にＦＡＸジョブに基づいて記録用紙上に画像を形成させるので、画像形成部１０が１つの非ＦＡＸジョブに基づいて記録用紙上に画像を形成中にＦＡＸジョブに割り込まれることにより、１つの非ＦＡＸジョブ中での印刷品質に差異が出る可能性が低くなり、非ＦＡＸジョブの印刷品質を保障することができる。
【００９３】
また、ＣＰＵ１０１は、画像形成部１０に複数の非ＦＡＸジョブに基づいて記録用紙上に画像を形成させる際に、非ＦＡＸジョブと非ＦＡＸジョブの間にＦＡＸジョブに基づいて記録用紙上に画像を形成させるので、非ＦＡＸジョブに基づいて記録用紙上に画像を形成させた後でも色材の残量が多く、ＦＡＸジョブの印刷品質が高いことが期待できるときに、画像形成部１０にＦＡＸジョブに基づいて記録用紙上に画像を形成させることとなり、ユーザが許容した非ＦＡＸジョブと同程度の印刷品質が得られる可能性を高めることができる。
【００９４】
また、ＣＰＵ１０１は、画像形成部１０に複数に分割した分割単位でＦＡＸジョブに基づいて記録用紙上に画像を形成させるごとに、画像の形成を停止させ、ＦＡＸジョブに基づいて記録用紙上に画像を形成させることを継続するか表示部１５に表示させるので、画像形成部１０にＦＡＸジョブを分割単位で印刷させるごとに、ユーザがＦＡＸジョブの印刷品質をチェックすることとなり、ユーザが大量にかすれ印刷されてしまうことを回避することができる。
【００９５】
また、表示部１５は、ＮＶＲＡＭ１０４に保留されたＦＡＸジョブを表示し、表示部１５に表示されたＦＡＸジョブから、画像形成部１０に画像を形成させるＦＡＸジョブを選択する操作部１４と、を備えている。ＣＰＵ１０１は、操作部１４の操作により選択されたＦＡＸジョブに基づいて画像形成部１０に記録用紙上に画像を形成させるので、ＮＶＲＡＭ１４に保留されたＦＡＸジョブから、ユーザ所望のＦＡＸジョブを印刷させることが可能となり、ユーザの利便性が増す。
【００９６】
また、ＣＰＵ１０１は、非ＦＡＸジョブに基づいて記録用紙上に画像を形成したときに使用した色材を用いて印刷可能なＦＡＸジョブを、非ＦＡＸジョブに基づいて記録用紙上に画像を形成したときに使用した色材を用いて印刷不可能なＦＡＸジョブよりも、強調して表示部１５に表示させるので、ＦＡＸジョブのうち、非ＦＡＸジョブの印刷に使用した色材を用いて印刷可能なＦＡＸジョブをユーザが選択しやすくなり、ユーザの利便性が増す。
【００９７】
また、ＣＰＵ１０１は、非ＦＡＸジョブに基づいて記録用紙上に画像を形成したときに使用した色材を用いて印刷可能なＦＡＸジョブのうち、画像形成部１０に画像を形成させる用紙枚数が少ないＦＡＸジョブを強調して表示部１５に表示させるので、ユーザの許容する印刷品質でＦＡＸジョブの印刷を完結する可能性が高くなり、ユーザの許容する印刷品質でＦＡＸジョブの印刷を完結する可能性が高くなる。
【００９８】
（その他の実施形態）
（１）本発明の一実施形態では、複合機１について説明したが、複合機１の形態に関わらず、ＦＡＸ機、コピー機、画像形成部と読取部とＦＡＸ通信可能なその他の装置にも適用することができる。
【００９９】
（２）本発明の一実施形態では、色材残量監視処理において色材の残量が少ないと判断した場合、ＦＡＸの受信モードをメモリ受信モードに設定する実施形態であったが、その他の実施形態であってもよい。色材の残量が少ないときに限らず、例えば、現像ローラの回数が現像ローラの寿命となる所定回数に達した場合又は感光ドラムが劣化した場合に、ＦＡＸの受信モードをメモリ受信モードに設定する実施形態であってもよい。また、現像ローラの回数が現像ローラの寿命となる所定回数に達した場合又は感光ドラムが劣化した場合も、印刷品質条件の一例である。
【０１００】
（３）本発明の一実施形態では、印刷ジョブ監視処理においてＰＣ−Ｐｒｉｎｔ又はＣｏｐｙの実行後に、ＦＡＸジョブに基づいて画像形成部１０に記録用紙上に画像を形成させる実施形態であったが、他の実施形態であってもよい。ＰＣ−Ｐｒｉｎｔ又はＣｏｐｙに限らず、ＵＳＢメモリ等に記憶されている印刷ジョブを複合機１に接続することにより、ＵＳＢメモリ等に記憶されている印刷ジョブを画像形成部１０に記録用紙上に画像を形成させるダイレクトプリントであってもよい。また、ユーザが手元に印刷ジョブのデータを所持しており、ユーザ以外の者から印刷ジョブのデータを取り寄せる必要のないものであれば、ダイレクトプリントに限られない。
【０１０１】
（４）本発明の一実施形態では、ＰＣ−Ｐｒｉｎｔを実行させた場合に使用した色を使うＦＡＸジョブは、ジョブリスト２００の上位に表示され、重丸の記号を印刷ジョブ名の頭に付されて強調表示される実施形態であったが、さらに、太文字にするなどして強調表示してもよい。また、ＰＣ−Ｐｒｉｎｔを実行させた場合に使用していない色を使うＦＡＸジョブは、グレイアウトさせたり、ジョブリスト２００に表示させなかったりいという方法で強調表示してもよい。
【０１０２】
（５）本発明の一実施形態では、ＰＣ−Ｐｒｉｎｔを実行させた場合に使用していない色を使うＦＡＸジョブは、ジョブリスト２００の最下位に表示されていたが、印刷させない実施形態であってもよい。この場合、ユーザが誤ってＰＣ−Ｐｒｉｎｔを実行させた場合に使用していない色を使うＦＡＸジョブを選択しても印刷させなくなり、ユーザの利便性が増す。
【０１０３】
（６）本発明の一実施形態では、電話回線を介して送信されたＦＡＸデータを受信するＦＡＸ実施形態であったが、インターネット回線を介して送信されたＦＡＸデータを受信するＦＡＸ、いわゆるＩ−ＦＡＸの実施形態であってもよい。電話回線を介して送信されたＦＡＸデータも、インターネット回線を介して送信されたＦＡＸデータも、一度印刷してしまうと、ＮＶＲＡＭ１０４等からＦＡＸデータが消去されてしまい、ユーザの手元にＦＡＸデータの原本が残らない。このため、印刷を失敗すると、ユーザはＦＡＸデータの再送を依頼せねばならず、手間となる。よって、本発明をＩ−ＦＡＸに適用した場合にも、本発明の一実施形態に記載のＦＡＸと同様の効果を得ることができる。
【０１０４】
（７）本発明の一実施形態では、ＦＡＸジョブ印刷処理において、記録用紙１枚分のＦＡＸジョブを、画像形成部１０に記録用紙上に画像を形成させる印刷処理を実行させる実施形態であったが、分割単位は記録用紙１枚分に限られず、記録用紙２枚分、記録用紙３枚分としてもよい。
【０１０５】
（８）本発明の一実施形態では、電子写真方式の画像形成装置の実施形態について説明したが、インクジェット方式の画像形成装置にも適用することができる。
【０１０６】
（９）以上、本発明の一実施形態のいくつかを図面に基づいて詳細に説明したが、これらは例示であり、当業者の知識に基づいて種々の変形、改良を施した他の形態で本発明を実施することが可能である。また、本発明の一実施形態のＦＡＸに限られず、例えば、ＰＣ-ＦＡＸ等であってもよい。
【符号の説明】
【０１０７】
１          複合機
１０        画像形成部
１４        操作部
１５        表示部
２０        画像読取部
９０        色材残量検出機構
１０１      ＣＰＵ
１０４      ＮＶＲＡＭ
１０５      ＦＡＸ  Ｉ／Ｆ
１０６      ネットワーク  Ｉ／Ｆ
２００      ジョブリスト
【図１】
0005699596.tif 000002
【図２】
0005699596.tif 000003
【図３】
0005699596.tif 000004
【図４】
0005699596.tif 000005
【図５】
0005699596.tif 000006
【図６】
0005699596.tif 000007
【図７】
0005699596.tif 000008
【図８】
0005699596.tif 000009
【図９】
0005699596.tif 000010
【図１０】
0005699596.tif 000011
【図１１】
0005699596.tif 000012
【図１２】
0005699596.tif 000013